(57)【特許請求の範囲】
【請求項１】
裏面が表面より大きな凹凸編目に形成されたメリヤス編みの手袋基布を表裏反転させる作業により、裏面を表面とした反転基布を準備し、その外側面の少なくとも指先部分に樹脂液を含浸させる作業により、前記凹凸編目と同じ凹凸形状を表面に持つ、滑り止め効果のある樹脂部を付与することを特徴とする、表裏反転させたそのままの状態で使用するようにした滑り止め手袋の製造方法。
【請求項２】
前記樹脂液がウレタン樹脂である請求項１に記載の滑り止め手袋の製造方法。
【請求項３】
手首部分に編み込まれた着色ゴム糸を、前記表裏反転によって露出させて、意匠を形成する請求項１または２に記載の滑り止め手袋の製造方法。
【発明の詳細な説明】
【０００１】
【発明の属する技術分野】
本発明は、滑り止め機能を付与した布製手袋の製造方法の改良に関する。
【０００２】
【従来の技術】
従来、滑り止め機能を付与した布製手袋を製作するには、手袋状に縫製または編製された手袋基布の表面に塩化ビニル樹脂を塗布した後、滑り止め粒子を付着させるなどの方法が用いられるが、あらかじめ手袋基布の布目に塩化ビニル樹脂が浸透しないよう目詰め加工や撥水処理を施すなど作業工程が煩雑であるなどの不都合があった。
【０００３】
また、特開平５−５１８０４号公報、特開２００１−１３１８１３号公報には、塩化ビニルペーストに発泡剤を配合して、塗布後に発泡させて滑り止め効果を付与する方法も提案されている。しかし、これらの方法は、塩化ビニルペーストの塗布後に、加熱、溶融して、発泡剤を所定の発泡倍率に発泡させる、あるいは溶融中に減圧処理して気泡を膨張させるなど、特殊な原料樹脂や複雑な作業工程が採用されていた。
【０００４】
【発明が解決しようとする課題】
本発明は、上記の問題点を解決するためになされたものであり、手袋基布の凹凸編目模様を利用して滑り止め効果を発揮させ、かつ着用感に優れた滑り止め手袋の製造方法を提供する。
【０００５】
【課題を解決するための手段】
上記の問題は、裏面が表面より大きな凹凸編目に形成されたメリヤス編みの手袋基布を表裏反転させる作業により、裏面を表面とした反転基布を準備し、その外側面の少なくとも指先部分に樹脂液を含浸させる作業により、前記凹凸編目と同じ凹凸形状を表面に持つ、滑り止め効果のある樹脂部を付与することを特徴とする、表裏反転させたそのままの状態で使用するようにした滑り止め手袋の製造方法によって、解決することができる。
【０００６】
また、この本発明は、前記樹脂液がウレタン樹脂である形態に好ましく具体化できる。さらに、手首部分に編み込まれた着色ゴム糸を、前記表裏反転によって露出させて意匠を形成する形態として前記の滑り止め手袋を具体化できる。
【０００７】
【発明の実施の形態】
次に、本発明の滑り止め手袋の製造方法に係る実施形態について、図１、２を参照しながら説明する。
本発明の滑り止め手袋の製造方法は、次ぎの３点を必須の要件とするものである。
（１）裏面が表面より大きな凹凸編目に形成された手袋基布を表裏反転させ裏面を表面とした反転基布１を用いること。
（２）その外側面の少なくとも指先部分に樹脂液を含浸、硬化させた樹脂部２を形成する。この場合、樹脂部２の表面は、前記凹凸編目と同じ凹凸形状となるよう、その付着量を調節するものとする。
（３）得られた手袋は、表裏反転させた状態で使用するようにしたこと。
【０００８】
本発明に好適な手袋基布には、裏面の凹凸編目が表面より大きな凹凸編目に形成されたものが用いられるのであるが、通常のメリヤス編みの編成布は、通常の使用状態で表面として使用される面の凹凸編目は裏面の編目より細かく滑らかに編成されているので、本発明の目的に適合しており、さらに手袋用基布としては一般的なので比較的安価で、かつ入手し易いので好ましい。
【０００９】
このメリヤス編みの手袋基布を用いる本発明の滑り止め手袋の製造方法としては、次の方法が適当である。
先ず、前記した凹凸編目を持つ手袋基布を表裏反転させる。そして、裏面を外側面（表面）とした反転基布１の状態で、手指と掌の手形形状に成形したアルミ手形プレートに被せる。次いで、予め準備した樹脂液に、その少なくとも指先部分を浸漬させて、樹脂液を編目に含浸させ、引き上げて乾燥させ、必要に応じて加熱硬化させて、樹脂部２を形成する。この場合、五本の指先全てに樹脂部２を形成する必要は必ずしもなく、そのいくつかを省略してもよい。
そして、本発明で得られた滑り止め手袋は、この表裏反転させた状態を元に戻すことなく、そのままで手袋として使用するようにしたものである。
【００１０】
この場合、樹脂液としては、塩化ビニル系樹脂も応用できるが、ウレタン系樹脂を用いるのが、仕上がり時の滑り止め効果、柔軟性、耐久性などからみて特に好ましいものである。なお、この樹脂液の付着量は、使用した手袋基布の凹凸編目と同じ凹凸形状が得られる程度に調節する必要がある。このためには、樹脂濃度、温度、浸漬時間などの条件を適宜、加減すればよい。
【００１１】
この樹脂液の付着量に関連して補足すると、図２は、本発明における滑り止め手袋の樹脂部２の断面を示す概念図であり、内側編み糸１２は滑らかな面を形成し、外側編み糸１１は、それより大きな凹凸形状の編目を形成している状態を表わしている。そして、これら編み糸全体は樹脂層２１が浸透、充実しており、内側繊維１２が位置する面は樹脂はアルミ手形プレートに接触しているので平滑な内側樹脂面２１ｂを形成している。他方、外側繊維１１の面は、樹脂が大きな凹凸形状の外側編み糸１１に沿って外側樹脂面２１ａ形成するので、基布の凹凸編目と同じ凹凸形状が得られるのである。
【００１２】
かくして、本発明によれば、メリアス編み基布の比較的大きな凹凸編目と同じ凹凸形状を持つ、滑り止め効果のある樹脂部を付与するので、好ましい滑り止め効果が得られる。また、樹脂液に浸漬するだけであるから作業が容易であり、従来の滑り止め手袋のように厚い樹脂層を形成しないので着用感にも優れている、あるいは入手が容易なメリヤス編みの手袋基布を表裏反転させるだけで利用できるのでコスト的に有利であるなど、本発明特有の効果が得られるのである。
【００１３】
さらに、本発明では、上述の通り、通常のメリヤス編みの手袋基布を表裏反転させた反転基布１を用いるが、この場合、手首部分に編み込まれた着色ゴム糸１３は、通常、裏側に隠れているのであるが、本発明のような反転基布では、図１のように、表裏反転されることによって外側に露出することになり、その結果、それが独特の意匠としてデザイン効果を上げる滑り止め手袋を提供できるようになった。
【００１４】
【発明の効果】
本発明の滑り止め手袋の製造方法は、以上説明したように構成されているので、反転させたメリアス編みの手袋基布の大きな凹凸模様の編目を利用して、低コストに滑り止め効果を発揮させることができる。また、ウレタン樹脂などを含浸させるだけなので着用感に優れた、滑り止め加工が簡便に済むうえ、手首部分に編み込まれた着色ゴム糸が意匠効果を発揮するなど優れた効果がある。よって本発明は、従来の問題点を解消した滑り止め手袋の製造方法として、その実用的価値はきわめて大なるものがある。
【図面の簡単な説明】
【図１】本発明の滑り止め手袋を示す正面略図。
【図２】本発明の実施形態の要部断面を示す概念図。
【符号の説明】
１  反転基布、１１  外側編み糸、１２  内側編み糸、２  樹脂部、２１  樹脂層、２１ａ  外側樹脂面、２１ｂ  内側樹脂面。
【図１】
0003760441.tif 000002
【図２】
0003760441.tif 000003